(57)【要約】【課題】  設置スペースの小さい回転装置を提供する。【解決手段】  被回転物が外部に取り付けられ、内部が中空の円筒４ａの外周面に、テレビジョン受信機用の取り付け部６が設けられている。円筒４ａと係合している円筒４ｂの下面にこの下面を覆うように板状体１０ａが設けられ、この板状体１０ａの円筒４ｂの内周面よりも内側に、かさ歯車１０ｂが、その中心を円筒４ｂの中心と一致させて位置し、円筒４ｂの内部にかさ歯車１０ｂと噛み合うかさ歯車２２が設けられ、かさ歯車２２は、円筒４ｂ内に設けたモータ３６、平歯車２４、２６、２８、３０、３２、３４、３８、４０によって、回転させられる。【選択図】        図１
2008275122.tif 000002
【特許請求の範囲】
【請求項１】
被回転物が外部に取り付けられ、内部が中空の回転筒と、
この回転筒の下面にこの下面を覆うように設けられた板状体を有し、この板状体における前記回転筒の内周面よりも内側の位置に、中心が前記回転筒の中心とほぼ一致するように設けられた第１のかさ歯車を有するかさ歯車部と、
前記回転筒の内部に設けられ、第１のかさ歯車と噛み合う第２のかさ歯車を有し、第２のかさ歯車を回転させることによって、前記第１のかさ歯車をその中心の回りに回転させる駆動部とを、
具備する回転装置。
【請求項２】
請求項１記載の回転装置において、前記駆動部では、第２のかさ歯車を第１のかさ歯車とほぼ直交するように配置し、更に第２のかさ歯車を回転させる駆動力伝達機構が前記回転筒の長さ方向に沿って配置され、この駆動力伝達機構における第２のかさ歯車と反対側の端にモータが設けられている回転装置。
【請求項３】
請求項２記載の回転装置において、前記かさ歯車部は、基部に支持され、この基部から前記回転筒の内部に伸びる支持体に支持された固定部に、前記回転筒内に位置する筒状体が支持され、この筒状体内に前記駆動力伝達機構及び前記モータが設けられている回転装置。
【発明の詳細な説明】
【技術分野】
【０００１】
本発明は、例えば平板型のテレビジョン受信機のような被回転物を回転させる回転装置に関する。
【背景技術】
【０００２】
例えば、テレビジョン受信機の回転装置としては、例えば特許文献１に開示されているようなものがある。この回転装置は、平板状の基盤の上に、ＣＲＴを使用したテレビジョン受信機が載置される支持台を配置し、支持台内に設けた回転機能によって、支持台を回転させるものである。
【０００３】
【特許文献１】特開２００５−２２９３５７号公報
【発明の開示】
【発明が解決しようとする課題】
【０００４】
この回転装置は、ＣＲＴを用いた奥行きのある大型のテレビジョン受信機を回転させる場合には、適している。しかし、近年、液晶表示装置やプラズマディスプレイを用いた薄型の平板型テレビジョン受信機が開発されている。平板型テレビジョン受信機を、特許文献１の回転装置によって回転させた場合、回転装置の設置スペースが、平板型のテレビジョン受信機の設置スペースよりもかなり大きくなる。そのため、付属装置である回転装置のスペースの方が大きくなり、平板型テレビジョン受信機の設置スペースの少なさという利点を損なう。
【０００５】
本発明は、設置スペースの少ない回転装置を提供することを目的とする。
【課題を解決するための手段】
【０００６】
本発明の一態様の回転装置は、内部が中空の回転筒を有している。この回転筒の外部に被回転物が取り付けられる。被回転物としては、上述した平板型テレビジョン受信機の他に、種々のもの、例えばパーソナルコンピュータのモニター装置や、ステレオ録音再生装置なども使用することができる。被回転物は、回転筒の外周面に取り付けることもできるし、回転筒の上面に取り付けることもできる。回転筒の下面にこの下面を覆うように設けられた板状体をかさ歯車部が有している。この板状体における前記回転筒の内周面よりも内側の位置に、中心が前記回転筒の中心とほぼ一致するように第１のかさ歯車が設けられている。前記回転筒の内部に駆動部が設けられている。駆動部は、第１のかさ歯車と噛み合う第２のかさ歯車を有し、第２のかさ歯車を回転させることによって、前記第１のかさ歯車をその中心の回りに回転させる。
【０００７】
このように構成された回転装置では、第１のかさ歯車が回転することによって、第１のかさ歯車が設けられているかさ歯車部の板状体が回転し、この板状体が下面に設けられている回転筒が回転する。従って、回転筒に取り付けられた被回転物も回転する。このように、回転筒の内部に、これを回転させるための全ての機構が組み込まれているので、その設置スペースが小さい。
【０００８】
駆動部では、第２のかさ歯車を第１のかさ歯車とほぼ直交するように配置することができる。更に第２のかさ歯車を回転させる駆動力伝達機構が前記回転筒の長さ方向に沿って配置され、この駆動力伝達機構における第２のかさ歯車と反対側の端にモータが設けられている。
【０００９】
このように構成すると、駆動力伝達機構は、回転筒の長さ方向に配置されているので、回転筒の横断面積を大きくする必要が無く、益々設置スペースを小さくすることができる。
【００１０】
かさ歯車部は、基部に支持することができる。この場合、基部から前記回転筒の内部に伸びる支持体に支持された固定部に、前記回転筒内に位置する筒状体が支持され、この筒状体内に前記駆動力伝達機構及び前記モータが設けられている。
【００１１】
このように構成すると、伝達機構及びモータが基部に支持されている状態となり、伝達機構及びモータを回転筒内に配置していても、回転筒を回転させることができる。
【発明の効果】
【００１２】
以上のように本発明による回転装置は、設置スペースが少なくても、被回転物を回転させることができる。
【発明を実施するための最良の形態】
【００１３】
本発明の１実施形態の回転装置は、平板型のテレビジョン受信機を回転させるためのもので、図１に示すように、基部２を有している。基部２は、上部が開口した開口円筒状部２ａを有し、その下部に平板状部２ｂを有している。なお、平板状部２ｂは平板型テレビジョン受信機を安定して支持するためのもので、除去することもできる。
【００１４】
開口円筒状部２ａの上部の開口周縁には、内部側に落ち込んだ段が形成され、この段に配置された環状の受け部３に回転筒４の一部を構成する円筒４ａが回転自在に支持されている。円筒４ａの中心軸は、開口円筒状部２ａの中心軸と一致している。円筒４ａの外周面に、平板型テレビジョン受信機の取り付け部６が一体に形成されている。
【００１５】
円筒４ａの内周面に、外周面が接触して、円筒４ｂが取り付けられている。円筒４ｂも、その中心軸が開口円筒状部２ａの中心軸と一致している。円筒４ｂは、図示していないが、円筒４ｂと係合されており、円筒４ｂの回転に従って円筒４ａが回転するように構成されている。円筒４ｂは、回転筒４の残りの部分を構成している。円筒４ｂの下部は、開口円筒状部２ａの底部２ｃ付近にまで達している。
【００１６】
開口円筒状部２ａ内の底部２ｃ付近には、底部２ｃと所定の距離を隔てて、かつ平行に円板状の支持板７が配置され、複数のねじ８によって底部２ｃに固定されている。
【００１７】
支持板６の上面には、かさ歯車部１０の板状体１０ａが回転自在に配置されている。板状体１０ａは、環状に形成され、その上面には、第１のかさ歯車１０ｂが一体に形成されている。第１のかさ歯車１０ｂの中心軸は、円筒４ａ、４ｂの中心軸と一致している。板状体１０ａが円滑に回転するように、その下面には、複数、例えば３本の環状のレール１０ｃが形成されている。
【００１８】
板状体１０ａの上面の周縁部には、板状体１０ａが浮き上がることを阻止するために環状板１２が配置されている。この環状板１２にねじ１４によって円筒４ｂが固定されている。従って、テレビジョン受信機の重量は、円筒４ａ、４ｂ、環状板１２を介してかさ歯車部１０の板状体１０ａに印加される。
【００１９】
板状体１０ａの上面において、第１のかさ歯車１０ｂよりも内側には、複数の例えば円筒状の支持体１４が間隔をおいて環状に配置されている。これら支持体１４は、上方を向いており、その先端に例えば円板状に形成した固定部１６が配置されている。この固定部１６に、筒状体１８のフランジ１８ａが面接触している。このフランジ１８ａは、ねじ２０によって固定部１６に固定されている。フランジ１８ａの外周縁は、円筒４ｂの内周面付近まで伸びており、その先端から下方に向かってスリーブ１８ｂが伸び、その先端が環状板１２の上面に接触している。
【００２０】
筒状体１８の内部には、第１のかさ歯車１０ｂと噛み合う第２のかさ歯車２２が配置されている。第２のかさ歯車２２は、その中心軸が、第１のかさ歯車１０ｂの中心軸と直交するように配置され、筒状体１８に取り付けられている。第２のかさ歯車２２と同軸に平歯車２４が配置されている。この平歯車２４と噛み合うように、平歯車２４の上方に平歯車２６が配置されている。平歯車２６と同軸に平歯車２８が配置され、この平歯車２８と噛み合うように平歯車３０が、平歯車２８の上方に配置されている。平歯車３０と同軸に平歯車３２が配置され、この平歯車３２と噛み合うように、平歯車３２の上方に平歯車３４が配置されている。この平歯車３４と同軸に平歯車３６が配置されている。平歯車２６、２８、３０、３２、３４、３６の中心軸は、第２のかさ歯車２２の中心軸と平行で、筒状体１８に取り付けられている。
【００２１】
平歯車３６には、モータ３８の回転軸に取り付けた平歯車４０が噛み合っている。なお、モータ３８は、筒状体１８の高さ寸法を短くするために、斜めに筒体１８内に取り付けられている。これら第２のかさ歯車２２、平歯車２４乃至４０及びモータ３８によって動力伝達機構が構成され、これらは全て筒体１８内に収容されている。４２は、円筒４ａ、４ｂの上部開口を閉じる蓋である。
【００２２】
このように構成された回転装置では、取り付け部６に平板型テレビジョン受信機を、その表示画面が図１の紙面に平行となるように取り付ける。この取り付け状態において、モータ３８を駆動すると、平歯車２４乃至４０が回転することによって第２のかさ歯車２２が回転する。この第２のかさ歯車２２の回転によって、第１のかさ歯車１０ｂがその中心軸の回りに支持板７上で回転する。これに伴い、第１のかさ歯車１０ｂが形成されている板状体１０ｂが回転し、板状体１０ｂ上に乗っている円筒４ｂが回転し、円筒４ｂに係合している円筒４ａが、開口円筒状部２ａの開口の段部の受け部３上で回転する。これに伴い、円筒４ａに設けられている取り付け部６が回転し、平板型テレビジョン受信機も回転する。
【００２３】
この回転装置では、テレビジョン受信機は、垂直に配置された円筒４ｂの外面側に取り付けられているので、テレビジョン受信機の下方に回転装置を配置する必要がなく、円筒４ｂ及び同じく垂直に配置された開口円筒状部２ａ内に、円筒４ａ及び４ｂを回転させる駆動機構が全て収容されているので、設置スペースを小さくすることができる。しかも、駆動機構は、開口円筒状部２ａ、円筒４ａ及び４ｂ内に、これらの長さ方向に沿って配置されているので、益々設置スペースを小さくすることができる。しかも、駆動機構が内部に収容されている筒状体１８は、基部２の底部２ｃに固定されて開口円筒状部２ａ内に位置する固定部１６に取り付けられているので、確実に円筒４ａ、４ｂを回転させることができる。
【００２４】
上記の実施形態では、円筒４ａ及び４ｂを使用したが、円筒４ａを除去して、円筒４ｂのみを設けることもできる。また、円筒４ａ、４ｂに代えて、角型の回転体を使用することもできる。また、駆動機構は平歯車２４乃至４０を有するものとしたが、平歯車の数は、使用するモータの駆動トルクに応じて任意の数に変更することができる。また、上記の実施形態では、平板型テレビジョン受信機を回転させるために、この回転装置を使用したが、これに限ったものではなく、例えばスピーカを回転させたり、広告表示器を回転させたりすることもできる。また、上記の実施形態では、平板型テレビジョン受信機のような被回転物を円筒４ａの外周面に取り付けたが、例えば円筒４ａ、４ｂの上部の蓋４２に被回転物を取り付けることもできる。
【図面の簡単な説明】
【００２５】
【図１】本発明の１実施形態の回転装置の縦断面図である。
【符号の説明】
【００２６】
２  基部
４  回転筒
１０ｂ  第１のかさ歯車
２２  第２のかさ歯車
２４乃至４０  平歯車（駆動力伝達機構）
３８  モータ（駆動力伝達機構）
【図１】
2008275122.tif 000003